(57)【要約】【課題】本発明はフロートの占めるスペースをとらず、かつ吸込口を固定した状態で水位の変動に追従可能とした吸込み装置及びこの吸込み装置を備えた油水分離装置並びに油水分離槽を提供することを目的とするものである。【解決手段】一端が吸引手段に接続された中空状の支持体３と、鉛直方向に摺動可能に支持体３に嵌入された中空状の吸引体５と、この吸引体５の支持体３に嵌入された端部とは反対側の端部の近傍に取り付けられたフロート６とを備える。【選択図】図１
2013185490.tif 000002
【特許請求の範囲】
【請求項１】
一端が吸引手段に接続された中空状の支持体と、
略鉛直方向に摺動可能に前記支持体に嵌入された中空状の吸引体と、
該吸引体の前記支持体に嵌入された端部とは反対側の端部の近傍に取り付けられたフロートとを備える
吸込み装置。
【請求項２】
吸引手段と、
一端が前記吸引手段に接続された中空状の支持体と、
略鉛直方向に摺動可能に前記支持体に嵌入された中空状の吸引体と、
該吸引体の前記支持体に嵌入された端部とは反対側の端部の近傍に取り付けられたフロートと、
前記吸引体で吸引した吸引物が供給される回収槽とを備える
油水分離装置。
【請求項３】
前記回収槽は、同回収槽内で分離された油脂分を排出するための油脂排出手段と、同回収槽内で分離された汚水を排出するための汚水排出手段とを有する
請求項２に記載の油水分離装置。
【請求項４】
前記吸引手段はダイヤフラムポンプである
請求項２または請求項３に記載の油水分離装置。
【請求項５】
油水分離槽本体と、
該油水分離槽本体内に設置されると共に、一端が吸引手段に接続された中空状の支持体と、
前記油水分離槽本体内に設置されると共に、略鉛直方向に摺動可能に前記支持体に嵌入された中空状の吸引体と、
該吸引体の前記支持体に嵌入された端部とは反対側の端部の近傍に取り付けられたフロートと、
前記吸引体で吸引した吸引物が供給される回収槽とを備える
油水分離槽。
【請求項６】
前記回収槽内で分離された汚水は、前記油水分離槽本体に供給可能に構成された
請求項５に記載の油水分離槽。
【発明の詳細な説明】
【技術分野】
【０００１】
本発明は、吸込み装置及び油水分離装置並びに油水分離槽に関する。詳しくは、浮上油を効率よく吸い込むことが可能な吸込み装置、及び、こうした吸込み装置を備えた油水分離装置、並びに、こうした油水分離装置を備えた油水分離槽に係るものである。
【背景技術】
【０００２】
従来より、厨房から排出される油脂を多く含んだ汚水は、床下等に設けられた油水分離槽に一旦貯留され、浮上した油脂を回収した後に分離された水のみを排水することが求められている。
【０００３】
ここで、油水分離槽より油水を回収する装置として、例えば、図７に示すものが知られている。具体的には、図７で示す装置は、吸込口１０１が浮上油１０２の下面に位置するように、少なくとも３個のフロート１０３で支持されている。また、吸込口１０１には吸引ポンプ（図示せず。）に接続されるフレキシブルホース１０４を接続するためのエルボ管１０５が連結されている。
【０００４】
ところで、フロートを用いた回収装置では、水位変動に関係なく常時水位に対して吸込口を同じ位置に維持することが必要となる。そのために、吸込口に連結されたエルボ管とフレキシブルホースとを浮かせるだけの浮力が必要となり、こうした浮力を実現するために、結果として大きなフロートを取り付けなければならない。
【０００５】
また、吸込口の位置を安定させるためには、３個以上のフロートが必要となり、結果として、貯留槽でのフロートが占める領域が大きくなってしまい、取り扱い性が低下してしまう。
【０００６】
更に、吸込口がフロートの浮力で浮遊した状態であるために、貯留槽内に流れ込む汚水により生じる水流で吸込位置が常に変わり得る不安定な状態である。
【０００７】
こうした点に鑑みて、例えば、回収装置自体は固定するものの、水位の変動に対応可能な構成の装置が提案されている（図８参照）。具体的には、図８で示す装置では、水面下に位置するジャバラ構造のポット１１０は、ポット１１０内に流入する液体の浮力で浮いた状態となっている（図８（イ）参照。）。
【０００８】
そして、ポンプの作動でポット１１０内の液体が吸引されると、ジャバラ構造のポット１１０は水面下まで縮んで水面の液がポット１１０内に流れ込むことになる（図８（ロ）参照。）
【０００９】
更に、ポット１１０内に流入した液体の浮力で、再びポット１１０は水面まで浮き上がり、引き続きポンプの作動でジャバラ構造のポット１１０は水面下まで縮んで水面の液がポット１１０内に流れ込む。
【００１０】
図８に示す装置では、このような動作を繰り返すことで水位の変動に応じながら水面上の油水を吸引することとなる。
【先行技術文献】
【特許文献】
【００１１】
【特許文献１】特開２００４−３０５９３３号公報
【００１２】
【特許文献２】特開平８−１１７７４３号公報
【発明の概要】
【発明が解決しようとする課題】
【００１３】
ところで、厨房から排出される汚水は時間帯によって、その分量が著しく変動する。即ち、油水分離槽に流れ込む汚水の分量は一定しているわけではなく、時間帯に応じて変動している。
【００１４】
しかしながら、上述したジャバラ構造の吸込み装置では、ジャバラの伸縮長さ設定に限界があり、水位変動幅が少ない油水分離槽では有効ではあるが、例えば水位変動が１０ｃｍを超えるような油水分離槽では油水を充分に吸引できないことが考えられる。
【００１５】
本発明は、以上の点に鑑みて創案されたものであって、フロートの占めるスペースをとらず、かつ、吸込口を固定した状態で水位の変動に追従可能とした吸込み装置及び油水分離装置並びに油水分離槽を提供することを目的とするものである。
【課題を解決するための手段】
【００１６】
上記の目的を達成するために、本発明に係る吸込み装置は、一端が吸引手段に接続された中空状の支持体と、略鉛直方向に摺動可能に前記支持体に嵌入された中空状の吸引体と、該吸引体の前記支持体に嵌入された端部とは反対側の端部の近傍に取り付けられたフロートとを備える。
【００１７】
また、上記の目的を達成するために、本発明に係る油水分離装置は、吸引手段と、一端が前記吸引手段に接続された中空状の支持体と、略鉛直方向に摺動可能に前記支持体に嵌入された中空状の吸引体と、該吸引体の前記支持体に嵌入された端部とは反対側の端部の近傍に取り付けられたフロートと、前記吸引体で吸引した吸引物が供給される回収槽とを備える。
【００１８】
更に、上記の目的を達成するために、本発明に係る油水分離槽は、油水分離槽本体と、該油水分離槽本体内に設置されると共に、一端が吸引手段に接続された中空状の支持体と、前記油水分離槽本体内に設置されると共に、略鉛直方向に摺動可能に前記支持体に嵌入された中空状の吸引体と、該吸引体の前記支持体に嵌入された端部とは反対側の端部の近傍に取り付けられたフロートと、前記吸引体で吸引した吸引物が供給される回収槽とを備える。
【００１９】
例えば、中華、ラーメン店等の厨房より排出される油脂を多く含んだ汚水は、水面上に油脂部分が浮上し、この油水のみを吸引する必要性が生じることとなる。
【００２０】
ここで、吸引体が、略鉛直方向に摺動可能に支持体に嵌入されたことによって、水位変動に充分に追従することが可能となり、大きな水位変動が生じたとしても充分に機能することができる。
【００２１】
また、吸引体が、略鉛直方向に摺動可能に支持体に嵌入されたことによって、フロートは吸引体を浮かすことができる程度の浮力を発生させれば良く、フロートの小型化が実現する。
【００２２】
更に、吸引体が、略鉛直方向に摺動可能に支持体に嵌入されたことによって、吸引体の水平方向（水面と略平行な方向）の位置は略固定されることとなり、水流の影響を受けにくくなる。
【発明の効果】
【００２３】
本発明の吸込み装置及び油水分離装置並びに油水分離槽によれば、フロートの占めるスペースをとらず、かつ吸込口を固定した状態で水位の変動に追従しながら油水を吸引することが可能となる。
【図面の簡単な説明】
【００２４】
【図１】本発明を適用した吸込み装置の一例を説明するための模式図である。
【図２】本発明を適用した吸込み装置の吸引ポンプの取り付け例を示すための模式図である。
【図３】本発明を適用した吸込み装置の作用状態を示すための模式図である。
【図４】本発明を適用した油水分離装置の一例を説明するための模式図である。
【図５】本発明を適用した油水分離装置の回収槽の一例を説明するための内部断面模式図である。
【図６】本発明を適用した油水分離槽の一例を説明するための模式図である。
【図７】従来のフロートによる吸込み装置の一例を説明するための模式図である。
【図８】従来のフロート以外の吸込み装置の一例を説明するための模式図である。
【発明を実施するための形態】
【００２５】
以下、本発明の実施の形態を図面を参酌しながら説明し、本発明の理解に供する。
【００２６】
＜第１の実施の形態＞
図１は本発明を適用した吸込み装置の一例を説明するための模式図である。
【００２７】
ここで示す吸込み装置１は、吸引手段として例えば、吸引ポンプ２に接続される中空状の支持体３と、この支持体３に嵌入されると共に、その上端が吸引口４とされる吸引体５と、この吸引体５の吸引口４の近傍に配置される２個のフロート６とから構成されている。
【００２８】
支持体３は、一端に吸引ポンプ２の吸引プラグ（図示せず。）と連通状に接続するための連結部７が設けられている。この連結部７は、吸引ポンプ２の吸引プラグにネジ式、あるいはプッシュプル方式で容易、かつ確実に接続することができる構成とされている。また、この連結部７から支持体３の他端に向けて円筒形状の吸引体嵌入部８が形成されている。
【００２９】
吸引体嵌入部８は、筒状の吸引体５の下端側が嵌め入れ可能に構成されている。そして、吸引体５が嵌め入れられることで、吸引体５が吸引体嵌入部８に対して略鉛直方向に摺動可能な状態となる。
【００３０】
吸引体５の上端には、吸引体５の外径よりも大きな椀形状の吸込部９が取り付けられている。また、吸込部９の下方には、水平状にフロート取り付け部１０が取り付けられている。更に、フロート取り付け部１０のそれぞれの先端にはフロート６が配置されている。
【００３１】
このフロート６は、その浮力で吸引体５の吸込部９の開口端が、水位Ａに対して若干上方位置、あるいは略同一となるように設定されている。
【００３２】
なお、支持体と吸引体との長さは、処理槽の深さや水位変動の大きさに合わせて設定し、重なり合う部分を残すことで水位の変動に応じて吸込口が上下変動できる様にする。また、吸引ポンプの選定は処理槽の大きさ、深さ、流入量などに応じて設定するものとする。
【００３３】
ここで、吸引ポンプ２の設置は、図２（イ）に示すように、処理槽Ｂ内に支持体３及び吸引体５を配置し、ホースＣで処理槽Ｂ外に設置された吸引ポンプ２に接続された構成が一例として考えられる。
【００３４】
また、他の一例としては、図２（ロ）に示すように、吸引ポンプ２を処理槽Ｂ内の底部に縦型に配置し、この吸引ポンプ２上に支持体３及び吸引体５を配置する構成が考えられる。更に別の一例としては、図２（ハ）に示すように、吸引ポンプ２を処理槽Ｂ内の底部に横型に配置し、この吸引ポンプ２横に支持体３及び吸引体５が配置された構成が考えられる。
【００３５】
以上の様に構成された本発明を適用した吸込み装置では、図３（図３（イ）は水位が低い場合、図３（ロ）は水位が高い場合を示している。）に示すように、固定された支持体３に対して吸引体５が鉛直方向に摺動可能である。
【００３６】
従って、フロート６は吸引体５の水位Ａまで浮上させるための浮力のみとなり、フロート６の大きさ及び個数を最小限とすることが可能となる。
【００３７】
また、支持体３と吸引体５との長さは、例えば処理槽の深さや水位変動の大きさに合わせて設定し、重なり合う部分を設けることで水位の変動に応じて吸込口が上下変動することが可能となる。
【００３８】
更に、支持体３が固定されており、吸引体５の水平方向の位置が決定されることで安定した油水の吸引が可能となる。
【００３９】
＜第２の実施の形態＞
図４は本発明を適用した油水分離装置の一例を説明するための模式図である。
【００４０】
ここで、油水分離装置１２は、一端がフレキシブルホース１３を介して吸引ポンプ２に接続される吸込み装置１と、この吸込み装置１により吸引された油水が回収される回収槽１４とから構成されている。
【００４１】
この吸込み装置１は、前記図１において詳述するように、中空状の支持体３と、この支持体３に嵌入されると共に、その上端が吸引口４とされる吸引体５と、この吸引体５の吸引口４の近傍に配置される２個のフロート６とから構成されている。
【００４２】
支持体３はフレキシブルホース１３を介して回収槽１４に併設される吸引ポンプ２に連通状に接続されると共に、その上端に円筒形状の吸引体嵌入部８が形成されている。
【００４３】
吸引体５の他端には、吸引体５の外径よりも大きな椀形状の吸込部９が取り付けられている。また、吸込部９の下方には、水平状にフロート取り付け部１０が取り付けられている。更に、フロート取り付け部１０のそれぞれの先端にはフロート６が配置されている。
【００４４】
このフロート６は、その浮力で吸引体５の吸込部９の開口端が、水位に対して若干上方位置、あるいは略同一となるように設定されている。
【００４５】
また、吸引手段としての吸引ポンプ２はダイヤフラムポンプとされている。ダイヤフラムポンプの使用により、汚水に含まれる油脂分と水を混濁させることなく吸引できる。
【００４６】
更に、吸引ポンプ２と回収槽１４は連結用パイプ１５で連結され、吸引された油水は回収槽１４の上部より排出可能に構成されている。
【００４７】
ここで、図５に示すように、回収槽１４の上部壁面には、回収された油水の油脂分のみを排出する排出口１６が開口され、この排出口１６に連通状に排出ダクト１７が併設されている。
【００４８】
この排出ダクト１７は、回収槽１４に並置される油脂回収容器１８内に油脂を排出可能に構成されると共に、油脂回収容器１８と着脱が自在に行える様に構成されている。
【００４９】
また、回収槽１４内の上部には、油脂回収手段として浮上した油脂分のみを排出口１６側へ掻きだすためのスクレパー１９が設けられている。
【００５０】
このスクレパー１９は、電動モータ等の駆動機構（図示せず。）で排出口１６の後方より排出口１６側への往復移動を繰り返すことによって、回収槽１４内で分離された油脂分のみを排出口１６から排出ダクト１７内に掻き出し、そのことで油脂回収容器１８内へ油脂を排出する。
【００５１】
また、回収槽１４の下部には排水用パイプ２２が設けられ、この排水用パイプ２２から回収槽１４内で分離された水のみが排出される様に構成されている。
【００５２】
なお、第２の実施の形態における油脂回収手段として、油脂分のみをスクレパーで掻き出す場合を例に挙げて説明を行っているが、必ずしもスクレパーで掻き出す機構とする必要性はない。
【００５３】
例えば、油脂回収手段として油脂分のみを吸引する機構や、回転羽根による油脂分を掻き出す機構であっても構わない。
【００５４】
また、第２の実施の形態における吸引手段としてダイヤフラムポンプを使用する場合を例に挙げて説明を行っているが、吸引手段として必ずしもダイヤフラムポンプを使用する必要性はない。
【００５５】
例えば、ダイヤフラムポンプ以外のポンプを使用するものであっても構わない。但し、油脂と汚水が混濁した状態で回収槽に排出された場合には、油脂と汚水との分離に時間がかかるために、油脂と分離した状態で吸引できるダイヤフラムポンプを使用することが好ましい。
【００５６】
以上の様に構成された本発明を適用した油水分離装置では、油水は吸引ポンプ２を通じて回収槽１４内へ排出されることとなる。
【００５７】
そして、回収槽１４内に回収される油水Ｃは、更に油脂分Ｄと汚水Ｅとに分離され、水面上に浮上した油脂分Ｄをスクレパー１９で排出口１６より排出ダクト１７内に掻き出される。
【００５８】
ここで、排出ダクト１７内に掻き出された油脂分Ｄは排出ダクト１７に取り付けられる油脂回収容器１８内へ回収される。この油脂回収容器１８は着脱自在とされ、油脂分Ｄが溜まったら取り外してポリタンク等に集められて廃棄処分される。
【００５９】
また、回収槽１４内で分離された汚水Ｅは排水用パイプ２２から例えば、下水に直接排水される、あるいは油水分離槽（図示せず。）に排出される。
【００６０】
このように、本発明の油水分離装置では、前記図３において詳述したように、吸込み装置１は固定された支持体３に対して吸引体５が鉛直方向に摺動可能である。
【００６１】
従って、フロート６は吸引体５の水位Ａまで浮上させるための浮力のみとなり、フロート６の大きさ及び個数を最小限とすることが可能となる。
【００６２】
また、支持体３と吸引体５との長さは、例えば処理槽の深さや水位変動の大きさに合わせて設定し、重なり合う部分を設けることで水位の変動に応じて吸込口が上下変動することが可能となる。
【００６３】
更に、支持体３が固定されているために吸引体５の位置が決定されることで安定した油水の吸引が可能となる。
【００６４】
また、吸込み装置１で吸引された油水を回収槽１４で更に油脂分と汚水と分離して油脂分を取り除いて廃棄すると共に、汚水を下水道に排水することで効率の良い油脂との分離が可能となる。
【００６５】
＜第３の実施の形態＞
図６は本発明を適用した油水分離槽の一例を説明するための模式図である。
【００６６】
ここで示す油水分離槽２０は、厨房等の床下に設けられる油水分離槽本体２１内に配置される吸込み装置１と、油水分離槽本体２１外に配置され、吸込み装置１とフレキシブルホース１３を介して接続される油水分離装置１２とから構成されている。
【００６７】
油水分離槽本体２１の一側端には、厨房からの汚水を流し込むための汚水流入パイプ２３が配置されると共に、油水分離槽本体２１の他側端には油脂分が取り除かれた汚水を下水道に排水するための汚水排水パイプ２４が配置されている。
【００６８】
油水分離槽本体２１の汚水流入パイプ２３と汚水排水パイプ２４との間には仕切り板２５が設けられることで、油水回収区画部２６と汚水排水区画部２７に分けられている。また、仕切り板２５は、その下部が油水分離槽本体２１の底面との間に汚水が流入可能なスペース２８が設けられている。
【００６９】
この吸込み装置１は、前記図１において詳述するように、中空状の支持体３と、この支持体３に嵌入されると共に、その上端が吸引口４とされる吸引体５と、この吸引体５の吸引口４の近傍に配置される２個のフロート６とから構成されている。
【００７０】
支持体３は油水分離槽本体２１の油水回収区画部２６の底部に固定され、フレキシブルホース１３を介して回収槽１４に併設される吸引ポンプ２に連通状に接続されると共に、その上端に円筒形状の吸引体嵌入部８が形成されている。
【００７１】
吸引体５の他端には、吸引体５の外径よりも大きな椀形状の吸込部９が取り付けられている。また、吸込部９の下方には、水平状にフロート取り付け部１０が取り付けられている。更に、フロート取り付け部１０のそれぞれの先端にはフロート６が配置されている。
【００７２】
このフロート６は、その浮力で吸引体５の吸込部９の開口端が、水位に対して若干上方位置、あるいは略同一となるように設定されている。
【００７３】
また、吸引ポンプ２はダイヤフラムポンプとされている。このダイヤフラムポンプの使用により、汚水に含まれる油脂分と水を混濁させることなく吸引できる。
【００７４】
更に、油水分離装置１２は、吸引ポンプ２と回収槽１４とが連結用パイプ１５で連結され、吸引された油水は回収槽１４の上部より排出可能に構成されている。
【００７５】
ここで、前記図５において詳述したように、回収槽１４の上部壁面には、回収された油水の油脂分のみを排出する排出口１６が開口され、この排出口１６に連通状に排出ダクト１７が併設されている。
【００７６】
この排出ダクト１７は、回収槽１４に並置される油脂回収容器１８内に油脂を排出可能に構成されると共に、油脂回収容器１８と着脱が自在に行える様に構成されている。
【００７７】
また、回収槽１４内の上部には、浮上した油脂分のみを排出口１６側へ掻きだすためのスクレパー１９が設けられている。
【００７８】
このスクレパー１９は、電動モータ等の駆動機構（図示せず。）で排出口１６の後方より排出口１６側への往復移動を繰り返すことによって、回収槽１４内で分離された油脂分のみを排出口１６から排出ダクト１７内に掻き出し、そのことで油脂回収容器１８内へ油脂を排出する。
【００７９】
また、回収槽１４の下部には排水用パイプ２２が設けられ、この排水用パイプ２２から回収槽１４内で分離された水のみが油水分離槽本体２１の汚水排水区画部２７に排出される様に構成されている。
【００８０】
以上の様に構成された本発明を適用した油脂分離槽では、吸込み装置１の支持体３が油水分離槽本体２１の油水回収区画部２６の底部に固定されることで、固定された支持体３に対して吸引体５が鉛直方向に摺動可能である。
【００８１】
従って、フロート６は吸引体５の水位Ａまで浮上させるための浮力のみとなり、フロート６の大きさ及び個数を最小限とすることが可能となる。
【００８２】
また、支持体３と吸引体５との長さは、油水分離槽本体２１の深さや水位変動の大きさに合わせて設定し、重なり合う部分を設けることで水位の変動に応じて吸込口が上下変動することが可能となる。
【００８３】
ここで、吸込み装置１で吸引された油水は吸引ポンプ２により回収槽１４内へ排出される。この回収槽１４内に回収される油水Ｃは、更に油脂分Ｄと汚水Ｅとに分離され、水面上に浮上した油脂分Ｄをスクレパー１９で排出口１６より排出ダクト１７内に掻き出される。
【００８４】
そして、排出ダクト１７内に掻き出された油脂分Ｄは排出ダクト１７に取り付けられる油脂回収容器１８内へ回収される。この油脂回収容器１８は着脱自在とされ、油脂分Ｄが溜まったら取り外してポリタンク等に集められて廃棄処分される。
【００８５】
また、回収槽１４内で分離された汚水Ｅは排水用パイプ２２から油水分離槽本体２１の汚水排水区画部２７内に排水される。
【００８６】
一方、油水分離槽本体２１の油水回収区画部２６内で油水Ｃと分離された汚水Ｅは、仕切り板２５と油水分離槽本体２１底面とのスペース２８より汚水排水区画部２７内へ流れ込み、回収槽１４内で分離された汚水Ｅと共に下水道に排水される。
【００８７】
このように本発明の油水分離槽によれば、油水分離槽本体内に排出される汚水は、水面に浮上する油水が吸込み装置で油水のみが吸引されて回収槽で油脂分が取り除かれ、油脂と分離された汚水のみが油水分離槽本体内に戻される。
【００８８】
従って、油水分離槽本体内には常に油脂分と分離された汚水に満たされた状態となるために、臭いが発生せず、衛生的な状態を維持することが可能となる。
【符号の説明】
【００８９】
１        吸込み装置
２        吸引ポンプ
３        支持体
４        吸引口
５        吸引体
６        フロート
７        連結部
８        吸引体嵌入部
９        吸込部
１０      フロート取り付け部
１２      油水分離装置
１３      フレキシブルホース
１４      回収槽
１５      連結用パイプ
１６      排出口
１７      排出ダクト
１８      油脂回収容器
１９      スクレパー
２０      油水分離槽
２１      油水分離槽本体
２２      排水用パイプ
２３      汚水流入パイプ
２４      汚水排水パイプ
２５      仕切り板
２６      油水回収区画部
２７      汚水排水区画部
２８      スペース
【図１】
2013185490.tif 000003
【図２】
2013185490.tif 000004
【図３】
2013185490.tif 000005
【図４】
2013185490.tif 000006
【図５】
2013185490.tif 000007
【図６】
2013185490.tif 000008
【図７】
2013185490.tif 000009
【図８】
2013185490.tif 000010